(57)【要約】【課題】近距離領域における１対の検知ゾーンの垂直方向の間隔を、遠距離領域に影響を与えることなく十分に確保しながら、一つの光学系により構成することが可能な検知装置を提供する。【解決手段】検知装置１は、集光部１０と、受光部２０と、この集光部１０、及び受光部２０を搭載した筐体３０と、筐体３０を覆うカバー５０と、筐体３０が固定される取付ベース４０とを備える。受光部２０は、第１集光面１００ＡＢから反射される赤外線を受光する遠距離用素子２１０と、第２集光面１００ＣＤから反射される赤外線を受光する近距離用素子２２０とからなる。近距離用素子２２０は、集光部１０の上段ミラーである面１００Ｃ及び面１００Ｄから反射される赤外線を受光する第１素子２２１と、下段ミラーである面１００Ｃ’及び面１００Ｄ’から反射される赤外線を受光する第２素子２２２とから構成される。【選択図】図１
2016176801.tif 000002
【特許請求の範囲】
【請求項１】
警戒領域内の物体から放射される赤外線を受光することで前記警戒領域への侵入物体を検知する検知装置であって、
前記警戒領域を、放射状に複数対の検知ゾーンとして分割し、分割された１対の検知ゾーン内の物体から放射される赤外線を集光する集光面を複数有する集光部と、
前記集光部に対向して配置されることで前記集光部と１つの光学系を構成し、前記集光部によって集光された赤外線を受光する受光部と、を備え、
前記複数対の検知ゾーンは、前記検知装置が設置される場所から離れた遠距離検知ゾーンと、前記遠距離検知ゾーンよりも前記検知装置に近い近距離検知ゾーンと、を含み、
前記近距離検知ゾーンは、上方に位置する上方検知ゾーンと、下方に位置する下方検知ゾーンと、を有し、
前記複数の集光面は、前記遠距離検知ゾーン内の物体から放射される赤外線を集光する第１集光面と、近距離検知ゾーン内の物体から放射される赤外線を集光する第２集光面と、を含み、
前記受光部は、前記第１集光面が集光した赤外線を受光する第1受光素子と、前記第２集光面が集光した赤外線を受光する第２受光素子と、を有し、
前記第２集光面は、前記上方検知ゾーン内の物体から放射される赤外線を集光する上方集光面と、前記下方検知ゾーン内の物体から放射される赤外線を集光する下方集光面と、を有し、
前記第２受光素子は、前記上方集光面が集光した赤外線を受光する上方受光素子と、前記下方集光面が集光した赤外線を受光する下方受光素子と、を有し、
前記上方受光素子と、前記下方受光素子とは、前記第１素子を挟んで配置され、
前記上方集光面と前記上方受光素子とが対向配置されていると共に、前記下方集光面と前記下方受光素子とが対向配置されている、
ことを特徴とする検知装置。
【請求項２】
前記遠距離用素子と、前記第１素子及び前記第２素子との間には、対向する前記集光部から受光素子に向かって延在した遮蔽板が設けられたことを特徴とする請求項１に記載の検知装置。
【発明の詳細な説明】
【技術分野】
【０００１】
本発明は、人体等から放射される赤外線を検出して侵入者を検知する検知装置に関する。
【背景技術】
【０００２】
従来、不審者等の侵入を検知するセンサとして、遠赤外線に感度を有する焦電素子等の赤外線検出素子を用いた赤外線検知装置が知られている。たとえば、警戒領域内に侵入する不審者を検知する従来のパッシブ型の検知装置は、検知対象となる警戒領域内の物体から放射される赤外線を凹面鏡（以下、「ミラー」とも呼ぶ）で集光する集光部と、集光部に対向して配置され、集光部から集光された赤外線を検出する赤外線検出素子とを備えている。
【０００３】
このような検知装置は、一般に警戒領域となる部屋の天井面に設置され、侵入者を効率よく検知できるように、天井面から床面方向に向かって垂直方向と水平方向のそれぞれに放射状に複数の検知ゾーンを張り巡らせる構成になっている。さらに１対の検知ゾーンは垂直方向に間隔を空けた２段の検知ゾーンから構成される。従来の検知装置では、１対の検知ゾーンに対して１つの受光素子を用いている。これによって従来の検知装置は、垂直方向の２つに分割された検知ゾーンから同時に赤外線を検出することで不審者の侵入を検知する。従来の検知装置では、このような検知の手法をとることで、垂直方向に間隔の空いた２つの検知ゾーンに同時に入らない（つまり、垂直方向の間隔よりも小さい）ネズミなどの小動物の誤検知を防止している。
【０００４】
放射状の複数対の検知ゾーンは、分割式ミラーによって形成される。また、１対の検知ゾーンを構成する複数の検知ゾーンは素子の受光電極がミラーによって投影される。そのため、１対の検知ゾーンを構成する垂直方向に２つに分割された検知ゾーンの間隔は、検知装置に近づくほど狭まり、装置から遠くなるほど間隔が広がる。これによって、検知装置から遠距離の領域では、１対の検知ゾーンの垂直方向に２つに分割された検知ゾーンの間隔が小動物を検知しない程度に十分広がる一方で、検知装置から近距離の領域では垂直方向の２つの検知ゾーンの間隔が狭くなる。したがって、近距離の領域では、小動物であっても、垂直方向の２つの検知ゾーンを同時にまたがってしまって、誤検知されてしまうことがある。
【０００５】
そこで、特許文献１では、垂直方向の検知ゾーンの設定において、上下の検知ゾーンにそれぞれ別の素子を設け、垂直方向の上下の検知ゾーンの間隔を、光学系ユニットの角度に応じて変更可能としている。これによって従来よりも、近距離領域の垂直方向の２つの検知ゾーンの間隔を十分に確保することが可能になっている。
【先行技術文献】
【特許文献】
【０００６】
【特許文献１】特開平１０−２１３６７３号公報
【発明の概要】
【発明が解決しようとする課題】
【０００７】
ところで、特許文献１の検知装置では、１対の検知ゾーンを構成する垂直方向上下の検知ゾーンごとにそれぞれ設けられる受光素子を、遠距離と近距離とで共有している。そのため、垂直方向上下の検知ゾーンの間隔を、遠距離と近距離とで異なる間隔に設定することができない。したがって例えば、近距離領域で小動物を検知しないように１対の検知ゾーンの垂直方向上下の検知ゾーンの間隔を空けて設定した場合、遠距離の検知ゾーンでは、人間でさえ垂直方向の２つの検知ゾーンを同時にまたがることがないほど間隔が広くなりすぎてしまい、不審者の検知ができなくなってしまう懸念がある。
【０００８】
さらに特許文献１において、仮に１対の検知ゾーンの垂直方向上下の検知ソーンの間隔を広げるために複数の受光素子を用いるとすると、素子同士の視野が互いに干渉するのを防ぐため、光学系を分離して構成する必要があった。この場合、近距離領域において、遠距離領域に影響を与えずに１対の検知ゾーンに含まれる各検知ゾーンの間隔を十分に確保するには、検知装置が大型化してしまう、という課題もあった。
【０００９】
本発明はこのような課題に鑑みてなされたものであり、その目的は、近距離領域における検知ゾーンの間隔を、遠距離領域に影響を与えることなく十分に確保しながら、一つの光学系により構成することが可能な検知装置を提供することにある。
【課題を解決するための手段】
【００１０】
上記課題を解決するために、本発明に係る検知装置は、警戒領域内の物体から放射される赤外線を受光することで警戒領域への侵入物体を検知する検知装置であって、警戒領域を、放射状に複数対の検知ゾーンとして分割し、分割された１対の検知ゾーン内の物体から放射される赤外線を集光する集光面を複数有する集光部と、集光部に対向して配置されることで集光部と１つの光学系を構成し、集光部によって集光された赤外線を受光する受光部と、を備え、複数対の検知ゾーンは、検知装置が設置される場所から離れた遠距離検知ゾーンと、遠距離検知ゾーンよりも検知装置に近い近距離検知ゾーンと、を含み、近距離検知ゾーンは、上方に位置する上方検知ゾーンと、下方に位置する下方検知ゾーンと、を有し、複数の集光面は、遠距離検知ゾーン内の物体から放射される赤外線を集光する第１集光面と、近距離検知ゾーン内の物体から放射される赤外線を集光する第２集光面と、を含み、受光部は、第１集光面が集光した赤外線を受光する第1受光素子と、第２集光面が集光した赤外線を受光する第２受光素子と、を有し、第２集光面は、上方検知ゾーン内の物体から放射される赤外線を集光する上方集光面と、下方検知ゾーン内の物体から放射される赤外線を集光する下方集光面と、を有し、第２受光素子は、上方集光面が集光した赤外線を受光する上方受光素子と、下方集光面が集光した赤外線を受光する下方受光素子と、を有し、上方受光素子と、下方受光素子とは、第１素子を挟んで配置され、上方集光面と上方受光素子とが対向配置されていると共に、下方集光面と前記下方受光素子とが対向配置されている、ことを特徴とする。
【００１１】
本発明によれば、第２集光面が、上方検知ゾーン内の物体から放射される赤外線を集光する上方集光面と、下方検知ゾーン内の物体から放射される赤外線を集光する下方集光面と、を有し、第２受光素子が、上方集光面が集光した赤外線を受光する上方受光素子と、下方集光面が集光した赤外線を受光する下方受光素子と、を有することで、遠距離領域に影響を与えずに近距離領域の検知ゾーンの間隔を広げることができる。また、上方受光素子と、下方受光素子とが、第１素子を挟んで配置され、上方集光面と上方受光素子とが対向配置されていると共に、下方集光面と前記下方受光素子とが対向配置されていることで、各素子の視野の影響を低減することができるため、素子ごとに光学系を分ける必要がなくなる。
【００１２】
好ましくは、第１の近距離用素子及び第２の近距離用素子と遠距離用素子との間には、遮蔽板が形成される。遠距離用素子と、第１の近距離用素子と、第２の近距離用素子とは、それぞれ遮蔽板によって隔てることで、視野角の広い素子であっても、光学系を分けずに構成することができる。
【発明の効果】
【００１３】
本発明によれば、近距離領域における上下段の検知ゾーンの間隔を、遠距離領域に影響を与えることなく十分に確保しながら、一つの光学系により構成することが可能な検知装置を提供することができる。
【図面の簡単な説明】
【００１４】
【図１】本発明の実施形態における検知装置の全体構成を示す斜視図である。
【図２】本発明の実施形態における検知装置の集光部の構成を示す模式図である。
【図３】本発明の実施形態における検知装置の検知パターンを模式的に示す図である。
【図４】本発明の実施形態における検知装置の検知ゾーンを模式的に示す図である。
【図５】本発明の実施形態における検知装置の作用を示す模式図である。
【発明を実施するための形態】
【００１５】
以下、添付図面を参照しながら本発明の実施の形態について説明する。説明の理解を容易にするため、各図面において同一の構成要素に対しては可能な限り同一の符号を付して、重複する説明は省略する。
【００１６】
図１は、本発明に係る検知装置１を模式的に示す図である。検知装置１は、図１に示すように、集光部１０と、受光部２０と、この集光部１０及び受光部２０を搭載した筐体３０と、筐体３０を覆うカバー５０と、筐体３０が固定される取付ベース４０とを備える。なお、以下では、検知装置１が警戒領域となる部屋の天井面に設置された場合を例にして説明する。
【００１７】
受光部２０は、後述する集光部１０の第１集光面１００ＡＢから反射して入射する赤外線を検出する遠距離用素子２１０と、後述する集光部１０の第２集光面１００ＣＤＣ’Ｄ’から反射して入射する赤外線を検出する近距離用素子２２１、２２２とからなる。
【００１８】
遠距離用素子２１０は、遠赤外線に感度を有する焦電素子等で構成される検出素子である。なお、本実施形態では、遠距離用素子２１０は特に赤外線の波長領域に感度を有する検出素子として説明するが、これに限定されない。本実施形態では、一例として、遠距離用素子２１０は、互いに逆向きの極性を持って接続された１対の電極を２組備えたデュアルツイン型の焦電素子として説明する。デュアルツイン型の素子の場合、上下に１組ずつ計２組の受光電極を持っている。また、デュアルツイン型の素子の場合、デュアル型の素子が２組上下方向に配置されていて、それぞれのデュアル型の素子から検知信号が出力される。
【００１９】
本実施形態では遠距離用素子２１０がデュアルツイン型の素子で構成されている。概念的には、遠距離用素子２１０は、集光部１０の第１集光面１００ＡＢの１つの面が形成する一対の検知ゾーンを４つの視野に分割して、監視するように機能する。なお、遠距離用素子２１０は、デュアルツイン型に限定されず、トリプルツイン型でもデュアル型であってもよい。
【００２０】
近距離用素子２２１、２２２は、遠距離用素子２１０と同様に遠赤外線に感度を有する焦電素子等で構成される検出素子である。なお、本実施形態では、近距離用素子２２１、２２２は特に赤外線の波長領域に感度を有する検出素子として説明するがこれに限定されない。本実施形態では、一例として、近距離用素子２２１、２２２は、それぞれ、互いに逆向きの極性を持って接続された電極を１組備えたデュアル型の焦電素子として説明する。
【００２１】
図１に示すように、近距離用素子２２１、２２２は遠距離用素子２１０を挟んで水平方向に配置されている。各素子の視野角が広いため、近距離用素子２２１、２２２の視野内に後述する遠距離用ミラーである第１集光面１００ＡＢが入り、また遠距離用素子２１０の視野内に後述する近距離用ミラーである第２集光面１００ＣＤＣ’Ｄ’が入り込んで不要な検知ゾーンができてしまうのを防ぐ必要がある。このため、たとえば素子の間に後述する遮蔽板３０１、３０２を設けるとしてもよい。仮に、近距離用ミラーを遠距離用ミラーの上側に配置した場合、遮蔽板３０１によって近距離の検知ゾーンが遮蔽板３０１、３０２によって遮蔽されてしまう、という問題がある。本実施形態に係る検知装置１は、３つの素子が横に並んだ構成とすることで、このような問題を防ぐことができる。
【００２２】
集光部１０は、検知装置１の検知距離を長くし、また警戒範囲を所定の検知パターンに限定するために設けられている。集光部１０は例えば、アルミニウムやクロムなどの光沢金属を蒸着メッキした放物面鏡やポリエチレン樹脂性のフレネルレンズなどを用いることが望ましい。集光部１０として明るい光学系（大口径）を用いることによってＳ／Ｎをよくすることができる。
【００２３】
本実施形態では、検知装置１は集光部１０として放物面鏡を備えている。集光部１０が放物面鏡のような分割式の光学系にすることにより、複数対の検知ゾーンから構成される検知パターンを形成することが可能になる。集光部１０の分割ミラーを変えることによって、立体警戒型、面警戒型、スポット警戒型、３６０度警戒型等の種々の検知パターンを形成することができる。さらに、検知装置１からの距離によって検知感度が変わらないように、遠距離用の検知ゾーンを形成する面には、口径が大きく、焦点距離が長い光学系を用いることが望ましい。一方で、近距離用の検知ゾーンを形成する面には、口径が小さく、焦点距離が短い光学系を用いることが望ましい。
【００２４】
図２は、集光部１０の集光面の構成を模式的に示す図である。なお、図２においては上向きの方向であって、集光部１０の壁面と平行な方向をｙ軸方向、ｙ軸方向と直交する方向をｘ軸方向、ｘｙ平面と直交する方向であって、紙面の法線方向をｚ軸方向として設定して説明する。以降の図でも同様の方向に各軸を設定したものとして説明する。
【００２５】
本実施形態に係る集光部１０は、第１集光面１００Ａ、１００Ｂ（以下、第１集光面１００ＡＢともよぶ）と第２集光面１００Ｃ、１００Ｄ、１００Ｃ’、１００Ｄ’（以下、第２集光面１００ＣＤＣ’Ｄ’ともよぶ）とから構成されている。図２に示すように第１集光面１００ＡＢ及び第２集光面１００ＣＤＣ’Ｄ’は、さらに複数の集光面から構成される。
【００２６】
第１集光面１００ＡＢは、遠距離領域用の検知ゾーンを形成するための光学系である。本実施形態では、第１集光面１００ＡＢは、上下７面ずつの集光面（面１００Ａ及び面１００Ｂ）から構成される。第１集光面１００ＡＢのｚ軸方向手前側には遠距離用素子２１０が配置されている。
【００２７】
第２集光面１００ＣＤＣ’Ｄ’は、近距離領域用の検知ゾーンを形成するための光学系である。本実施形態では、第２集光面１００ＣＤＣ’Ｄ’は、第１集光面１００ＡＢの左側に設けられた上段ミラー１００Ｃ、１００Ｄ（以下、上段ミラー１００Ｃ、１００Ｄをまとめて上段ミラー１００ＣＤとも呼ぶ）と、第１集光面１００ＡＢの右側に設けられた下段ミラー１００Ｃ’、１００Ｄ'（以下、下段ミラー１００Ｃ’、１００Ｄ’をまとめて下段ミラー１００Ｃ’Ｄ’とも呼ぶ）とから構成されている。本実施形態では、上段ミラー１００ＣＤ及び下段ミラー１００Ｃ’Ｄ’は、いずれも上下３面ずつの集光面（面１００Ｃ及び面１００Ｄ，並びに面１００Ｃ’及び面１００Ｄ’）から構成されている。上段ミラー１００ＣＤのｚ軸方向手前側には近距離用素子２２１が、下段ミラー１００Ｃ’Ｄ’のｚ軸方向手前側には近距離用素子２２２がそれぞれ配置されている。
【００２８】
集光部１０の各面は、ｘｙ平面からｚｘ平面への傾きとｙｚ平面への傾きを有している。この各面のｘｙ平面からｚｘ平面への傾きの大きさを垂直光軸角、ｘｙ平面からｙｚ平面への傾きの大きさを水平光軸角という。本実施形態においては、各面の垂直光軸角は、面１００Ａが８．５度、面１００Ｂが１６度、面１００Ｃが２０度、面１００Ｄが３０度、面１００Ｃ'が４０度、面１００Ｄ'が５０度で設定されている。また、水平光軸角は、各面ともに線対称となるように４０度〜−４０度までの角度が設定されている。具体的には、第１集光面１００ＡＢの各面は、４０度、２６度、１２度、０度、−１２度、−２６度、−４０度の水平光軸角を有している。また、第２集光面１００ＣＤＣ’Ｄ’の各面は、４０度、０度、−４０度の水平光軸角を有しているとしてもよい。
【００２９】
次に、このように構成された集光部１０と受光部２０とが構成する検知ゾーンについて図３および図４を用いて説明する。
図３は、このような光軸角を有する集光部１０が形成する検知ゾーンのパターンを上面（図２のｘｚ平面）から見た様子を模式的に示す図である。集光部１０の各面が上述のような水平光軸角を有しているため、集光部１０の形成する検知ゾーンは、図３に示すように扇形のパターンを構成する。本実施形態では、図３の角θ１は１２度、角θ２は２６度、角θ３は４０度、角θ１’は−１２度、角θ’２は−２６度、角θ３’は−４０度で設定されることになる。
【００３０】
図４は、本実施形態に係る検知装置１の検知ゾーンを模式的に示した図である。図４においては、一例として、遠距離領域の検知パターンが検知ゾーンＡと検知ゾーンＢとから構成され、近距離領域の検知パターンが検知ゾーンＣ、Ｄと検知ゾーンＣ’、Ｄ’とから構成されるとして説明するがこれに限定されない。
【００３１】
図４（Ａ）は、図２のＡＡ’断面図であり、第１集光面１００ＡＢによって形成される遠距離領域用の検知ゾーンを示している。遠距離領域における１対の検知ゾーンのうち、検知ゾーンＡは面１００Ａによって形成され、検知ゾーンＢは面１００Ｂによって形成される。遠距離用素子２１０はデュアルツイン型の素子なので、１つの素子で上段及び下段の双方の検知ゾーンから照射される赤外線を検出することができる。なお、図には示さないが、検知ゾーンＡ及び検知ゾーンＢは、それぞれ水平方向に７対の検知ゾーンを有することが望ましい。
【００３２】
図４（Ｂ）（Ｃ）は、それぞれ図２のＢＢ’断面図及びＣＣ’断面図であり、上段ミラー１００ＣＤ及び下段ミラー１００Ｃ’Ｄ’によって形成される近距離領域用の検知ゾーンＣＣ’及びＤＤ’を示している。近距離領域における１対の検知ゾーンのうち、上段の検知ゾーンＣは面１００Ｃによって形成され、上段の検知ゾーンＤは面１００Ｄによって形成される。また、下段の検知ゾーン１００Ｃ’は面１００Ｃ’によって形成され、下段の検知ゾーンＤ’は面１００Ｄ’によって形成される。
【００３３】
上段ミラー１００ＣＤと下段ミラー１００Ｃ’Ｄ’は同じ水平光軸角を備えているため、検知ゾーンＣと検知ゾーンＣ’、及び検知ゾーンＤと検知ゾーンＤ’はそれぞれ水平方向において同じ角度に設けられる。また、図４（Ｂ）（Ｃ）において、検知ゾーンＤと検知ゾーンＤ’の上下段のギャップθｄは、上段用の近距離用素子２２１と上段ミラー１００Ｄで作る上段検知ゾーンＤの光軸と、下段用の近距離用素子２２２と下段ミラー１００Ｄ’で作る下段検知ゾーンＤ’の光軸をお互いに適宜広げることで調整可能である。また、検知ゾーンＣと検知ゾーンＣ’との上下段のギャップ（θｃ）についても同様に調整することができる。なお、θｄとθｃの角度の関係はθｃ＜θｄとなるようにすることが望ましい。この光軸角は、たとえば検知装置１から５０ｃｍ先でネズミを検知しない程度のギャップ（例えば１０ｃｍ程度）となるように設定することが望ましい。
【００３４】
このように、近距離領域において上段と下段との検知ゾーンに対して、別々の焦電素子を用いることで、上段と下段のとのギャップを任意に設定することが可能となる。
【００３５】
図１に戻り、検知装置１の構成の続きを説明する。
筐体３０は、集光部１０と、受光部２０とを格納している。本実施形態では、近距離用ミラーである上段ミラー１００ＣＤと下段ミラー１００Ｃ’Ｄ’との垂直光軸角を変えているが、これに限定されず、同じ光軸角と焦点距離とで上段部の素子（近距離用素子２２１）と下段部の素子（近距離用素子２２２）との垂直位置をオフセットしてもよい。また本実施形態に係る検知装置１は、遠赤外線を透過するカバー５０を備えており、当該カバー５０は、筐体３０上に着脱可能な構造となっている。また、集光部１０と受光部２０とは検知距離可変のために一体式で回転する構成を有していることが望ましい。さらに集光部１０には、遮蔽板３０１と遮蔽板３０２とが設けられている。
【００３６】
遮蔽板３０１は、近距離用素子２２２と遠距離用素子２１０との間に設けられている。また、遮蔽板３０２は、近距離用素子２２１と遠距離用素子２１０との間に設けられている。これらの遮蔽壁３０１、３０２はお互いに素子の視野が相手側の光学系面に入るのを防ぐように設ければよく、素子と光学系を完全に囲む必要はない。この遮蔽壁３０１、３０２は赤外線を透過しない材質であれば何でもよく、表面を乱反射加工する。
【００３７】
取付ベース４０は、検知装置１を設置するときに、天井面に取り付けられる。なお、図１には示さないが、取付ベース４０には天井取付用ねじ穴及び配線用端子台を備えるとしてもよい。
【００３８】
このように構成された検知装置１が侵入者を検知する際の動作について、図５を用いて説明する。図５は、本実施形態に係る検知装置１の検知ゾーンを模式的に示す図である。
【００３９】
検知装置１の真下にロッカーＬが置かれている場合、近距離領域の検知ゾーンＣ、Ｄにおいて、当該ロッカーや棚の上をうろつくネズミ等の小動物ｍを検知してしまい、誤報の原因になってしまう。一方で、遠距離領域の検知ゾーンＡ、Ｂは、ロッカーや棚の上を直接検知することがないために、誤報のおそれはない。
【００４０】
本実施形態に係る検知装置１では、上段ミラー１００ＣＤと下段ミラー１００Ｃ’Ｄ’とで垂直方向の光軸がずれているために検知ゾーンＣ、Ｄの上下段のギャップ（図５のθｃとθｄ）が、小動物ｍを検知しない程度であって、人間の背丈より小さくなるように調整することが可能になる。これによって、近距離領域の、検知装置１付近においても小動物ｍの誤検知を防ぎ、また、小動物ｍより背丈のある人は上下の検知ゾーンを同時に横切ることが可能となり、失報を防ぐことができる。
【００４１】
このように、本発明に係る検知装置１によれば、遠距離領域と近距離領域とで別の焦電素子を用いて赤外線を検出するため、遠距離領域の検知ゾーンの上下段のギャップに影響を与えずに、近距離領域の検知ゾーンの上下段のギャップを広げることができる。
また、近距離領域において上下段の検知ゾーンに対して別の焦電素子を用いて赤外線を検出するため、安価な汎用素子を用いて、任意の上下段ギャップを設定することができる。また、さらに、近距離用素子を遠距離用素子の両脇に設置する構成とすることで、検知装置１の小型化を図ることが可能となる。
【００４２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００４３】
１：検知装置
１０：集光部
２０：受光部
２１０：遠距離用素子
２２１：近距離用素子
２２２：近距離用素子
３０：筐体
４０：取付ベース
５０：カバー
【図１】
2016176801.tif 000003
【図２】
2016176801.tif 000004
【図３】
2016176801.tif 000005
【図４】
2016176801.tif 000006
【図５】
2016176801.tif 000007